(57)【要約】      （修正有）【課題】マスクにアルコールスプレーし、アルコールの揮発性を早めてマスクを乾燥するマスクケースと、一つの小さなケースに収納して衛生用品を持ち歩く事ができる衛生品収納ケースの提供。【解決手段】マスクケースは、本体ケース上下両側に小さい穴を幾つも開けた面と網を固設した中にマスクを入れ通気性を良くし、上下ケースの着脱自在の留め具を設け、衛生品収納ケースは、本体中敷きケース２と外側カバー１２の上下両側に小さな穴６を幾つも開けた面と網５を固設した中にマスク３を入れ、上下ケースの縁の中央部開閉を着脱自在に留め具７を設け、ケース２の中央のファスナー８を開けて感染予防具を収納する所は、上部の網５の袋の中に予備マスク、紙のテッシューを収納し、下部にアルコール消毒スプレー容器４、ウェットテッシューを収納した。【選択図】図４
0003201407.tif 000002
【実用新案登録請求の範囲】
【請求項１】
本体ケース（１）上下両側に小さい穴（６）を幾つも開けた面と網（５）を固設した中にマスク（３）を入れ通気性を良くし、上下ケースの縁の中央部開閉を着脱自在の留め具（７）を設け、ケース（１）に通気性を設けたことでアルコールの揮発性を早める特徴のマスクケース（１）。
【請求項２】
本体中敷きケース（２）外側カバー（１２）上下両側に小さな穴（６）を幾つも開けた面と網（５）を固設した中にマスク（３）を入れ通気性を良くし、上下ケースの縁の中央部開閉を着脱自在に留め具（７）を設け、ケース（２）の中央のファスナー（８）を開け感染予防具の収納する所は、上部の網（５）の袋の中に予備マスク（１１）、紙のテッシュー（９）収納する所と、下部にアルコール消毒スプレー容器（４）、ウェットテッシュー（１０）、そのウェットテッシュー（１０）はケースの穴（１３）に収納外側から取り出せるようにし、ケース（２）に通気性を設けたことでアルコールの揮発性を早める特徴の衛生品収納ケース（２）。
【考案の詳細な説明】
【技術分野】
【０００１】  本考案は、マスクを収納する物と販売しているウイルス感染予防品を収納に関する。
【背景の技術】
【０００２】  見えないウイルス菌がマスクに付着した間々ポケット又はバックに入れた、マスクの付着した所を持たず紐を持ちアルコールスプレーするには不安定であるためマスクを包むパックとして（特許文献１）を出願した後、（非特許文献１）ウイルスを除菌するアルコールの課題があった。
【先行技術文献】
【特許文献】
【０００３】
【特許文献１】  実用新案登録第３１５９１０４号
【非特許文献】
【０００４】
【非特許文献１】  販売元、エーザイ株式会社、販売名、クリスタルヴェールマスク防菌２４の商品説明書。
【考案の概要】
【考案が解決しようとする課題】
【０００５】  従来、第一の課題は、（非特許文献１）の説明書から、アルコールの使用注意事項で、本品はアルコールを含んでおります、○アルコールに敏感な方、特に肌の弱い方は使用しないでください。○スプレーしたマスクはよく乾かしてから使用してください、この注意事項を（特許文献１）に対して、マスクにアルコールスプレーし収納して開けて使うときマスクにアルコール分が残っている事もあった、これを重視した。【０００６】  従来、第二の課題は、マスクにアルコール消毒スプレーとウェットテッシューにアルコールなどの物が、予防ができる物が別々に販売されていた、食事するときなどマスクを外す時がありその置き場所バックにバラバラで収納していた。【０００７】  本考案は以上のような従来の欠点に鑑み、第一の課題改善策のマスクケースと第二の課題にも使っい予防範囲を広げた衛生収納ケースの二種類を提供することを目的としている。
【課題を解決するための手段】
【０００８】  上記目的を達成するために、本考案は、ウイルス菌が付着した使用中のマスクに除菌するアルコールは揮発性なため、本体ケース上下両側に小さな穴を幾つも開けた面と網を固設した中にマスクを入れ通気性を良くし、上下ケースの縁中央部開閉を着脱自在の留め具を設けたマスクケースの構成。【０００９】  ウイルスが付着した使用中のマスクに除菌するアルコールは揮発性なため、本体中敷き外側カバー上下両側に小さな穴を幾つも開けた面に網を固設した中にマスクを入れ通気性を良くし、上下ケースの縁中央部開閉を着脱自在の留め具を設け、ケースの中央のファスナーを開け感染予防具の収納する所を網で設け、上部に予備マスク、紙のテッシューその他収納する所と、下部にアルコール消毒スプレー容器、ウェットテッシュー、これらを収納する所を設け、ウェットテッシューはケースの外から取り出せるようにした衛生収納ケースの構成。
【考案の効果】
【００１０】  第一の課題に対しての効果は、見えないウイルス菌がマスクに付着しポットバックに入れ間々再度そのマスクを使い接触感染の疑いがあった、これを断ち切る事が必要がある、ウイルスをマスクで受けアルコールで除菌で断ち切り、本願の重視点でケースでアルコールに敏感な方肌に弱い方で皮膚炎など発症を削減するため、本体ケースに幾つもの穴を開け所と網でマスクにアルコールスプレー通気性を良くし、揮発性を早めマスクの乾燥しウイルス感染を削減する一時保管ケース、学生で学校と家にアルコールがあるのを想定し低額で予防できるマスクケース。【００１１】  第二の課題に対して第一の課題の効果を含め、ウイルスをマスクで受けアルコールで除菌で断ち切り、アルコールに敏感な方肌に弱い方で皮膚炎など発症を削減するため、本体の中敷きケースと外側カバー上下に小さな穴を幾つも開けた面を網で固設し、ウェットテッシュー、紙テッシューの所も幾つもの穴と網で通気性を良くし鼻風邪などに使い、ファスナーを何度も開け閉めせず周囲に接触さけウェットテッシューを外から取り出せ手など接触する所を拭き取る、これらが別々に販売されていた物を、一つの小さなケースに収納し衛生用品を持ち歩く事ができる、外出先の人の密集した電車の中と海外の旅行先海外の勤め先でマスクのアルコールの揮発性を早めマスクの乾燥しウイルス感染を削減する衛生収納ケース。
【図面の簡単な説明】
【００１２】
【図１】本考案の第一の実施の形態の使用状況構成図。
【図２】本考案の第一の実施の形態の前方面。
【図３】本考案の第一の実施の形態の後方面。
【図４】本考案の第二の実施の形態の前方使用状況構成図。
【図５】本考案の第二の実施の形態のケース収納図。
【図６】本考案の第二の実施の形態の後方面図。
【考案を実施するための形態】
【００１３】  ケース（１）に幾つもの小さい穴（６）を開け所と網（５）を固設し、縁のケース（１）中央部上下に着脱自在の留め具（７）を設けた、マスクケース（１）。
【００１４】  マスク収納ケースの前方面のケース（２）中敷きと外のカバー（１２）に幾つもの小さい穴（６）を開け所と網（５）を固設し縁の上下中央部に着脱自在の留め具（７）を設け、ケース中の中央のファスナー（８）を開け収納する物は、上部に予備マスク（１１）、紙テッシュー（９）、収納する所と、下部にアルコール消毒スプレー容器（４）、ウェットテッシュー（１０）を収納する所を設け、ケースの後方面からウェットテッシューを取り出すケースの穴（１３）を設けた衛生収納ケース（２）。
【実施例１】
【００１５】  マスク（３）を外してマスクケース（１）を開けた中央に乗せ学校か家のアルコール消毒スプレー（４）で除菌しケースの留め具（７）で止めるマスクケース。
【実施例２】
【００１６】  衛生収納ケース（２）の中央のファスナー（８）を開けた中からアルコールスプレー容器（４）を取り出し、そのケース（２）外側カバーの（１２）幾つもの穴の開けた所の留め具（７）を開け、マスク（３）を耳から外して網（５）の中央に乗せアルコール消毒スプレー（４）し留め具（７）で閉め、その衛生品はケース（２）収納品は、ファスナー（８）を開け、予備マスク（１１）と紙テッシュー（９）は二重の網（５）の中に入れて収納し、、アルコールスプレー容器（４）ベルトで閉め収納、ウェットテッシュー（１０）の取り口をＴ時のベルトのケースの穴（１３）に合わせて収納し、使うときはケースの穴（１３）の外から取り出せるようにした衛生収納ケース。
【産業上の利用可能性】
【００１７】
【符号の説明】
【００１８】    １，マスクケース、
２，衛生収納ケース、
３，マスク、
４，アルコールスプレー容器、
５，網、
６，小さい穴、
７，留め具、
８，ファスナー、
９，紙のテッシュー、
１０，ウェットテッシュー、
１１，予備マスク、
１２，ケースの外側カバー、
１３，ケースの穴、
【図１】
0003201407.tif 000003
【図２】
0003201407.tif 000004
【図３】
0003201407.tif 000005
【図４】
0003201407.tif 000006
【図５】
0003201407.tif 000007
【図６】
0003201407.tif 000008